(57)【特許請求の範囲】
【請求項１】
供試装置の測定対象ポートにつながる一対の導体に接続した巻線比が１：ｎの非対称トランスと、
前記非対称トランスと測定端子の間に接続した抵抗Ｒと、を有し、
所望の不平衡減衰量ＬＣＬを得るために、前記巻線比を次式
【数１３】
0005647632.tif 000014
（ただし、αは、ＬＣＬ＝２０ｌｏｇ10｜α｜としたときのＬＣＬの真数であり、ＺTは、当該不平衡擬似回路網の特性インピーダンス、Ｚdは、前記非対称トランスのディファレンシャルモードインピーダンスである）
により設定すること
を特徴とする不平衡擬似回路網。
【請求項２】
前記測定端子に接続する測定装置の内部インピーダンスと前記抵抗Ｒの値により当該不平衡擬似回路網のコモンモードインピーダンスを設定することを特徴とする請求項１記載の不平衡擬似回路網。
【発明の詳細な説明】
【技術分野】
【０００１】
本発明は、機器の通信ポートを伝搬する妨害波の測定に用いられる不平衡擬似回路網に関する。
【背景技術】
【０００２】
通信装置がネットワークに接続された際に発生する妨害波を測定・評価するための装置として、通信線の電気的特性を模擬した不平衡擬似回路網がある。国際規格であるＣＩＳＰＲ（国際無線障害特別委員会）にその構成例が記載されている。図６に、ＣＩＳＰＲ２２に記載されている従来の不平衡擬似回路網の回路例を示す。不平衡擬似回路網１００は、ＥＵＴ（供試装置）とＡＥ（補助装置）の間の、通信ポートに接続する。
【０００３】
従来の不平衡擬似回路網１００では、通信線の電気的特性の１つである不平衡減衰量（ＬＣＬ：Ｌｏｎｇｉｔｕｄｉｎａｌ  Ｃｏｎｖｅｒｓｉｏｎ  Ｌｏｓｓ）を所望の値とするために、シャントインピーダンス３００と呼ばれるインピーダンスを利用している。
【先行技術文献】
【非特許文献】
【０００４】
【非特許文献１】M. Hattori and T. Ideguchi, “Electromagnetic Interference and Countermeasures on Metallic Lines for ISDN”, IEICE Trans. Commun., 1992-1, Vol. E75-B, No. 1, p. 50-56
【発明の概要】
【発明が解決しようとする課題】
【０００５】
しかしながら、図６に示すように、シャントインピーダンス３００に流れる電流ｉcatの影響により、レシーバー（測定装置）２００が測定する、不平衡擬似回路網１００の測定ポート１０１に流れる電流が、ｉC1＋ｉC2−ｉcatとなり、測定すべきコモンモード電流値ＩCM（＝ｉC1＋ｉC2）とは異なるという問題があった。その結果、レシーバー２００で測定される妨害波電圧が正しい電圧値とならない。
【０００６】
本発明は、上記に鑑みてなされたものであり、より精度を高く妨害波電圧を測定することを目的とする。
【課題を解決するための手段】
【０００７】
本発明に係る不平衡擬似回路網は、供試装置の測定対象ポートにつながる一対の導体に接続した巻線比が１：ｎの非対称トランスと、前記非対称トランスと測定端子の間に接続した抵抗Ｒと、を有し、所望の不平衡減衰量を得るために、前記巻線比を次式
【数１】
0005647632.tif 000002
【０００８】
（ただし、αは、ＬＣＬ＝２０ｌｏｇ10｜α｜としたときのＬＣＬの真数であり、ＺTは、当該不平衡擬似回路網の特性インピーダンス、Ｚdは、前記非対称トランスのディファレンシャルモードインピーダンスである）により設定することを特徴とする。
【０００９】
上記不平衡擬似回路網において、前記測定端子に接続する測定装置の内部インピーダンスと前記抵抗Ｒの値により当該不平衡擬似回路網のコモンモードインピーダンスを設定することを特徴とする。
【発明の効果】
【００１０】
本発明によれば、より精度を高く妨害波電圧を測定することができる。
【図面の簡単な説明】
【００１１】
【図１】本実施の形態における不平衡擬似回路網の構成を示す回路図である。
【図２】上記不平衡擬似回路網が備える非対称トランスの等価回路図とＴ型回路図である。
【図３】上記不平衡擬似回路網のＬＣＬ測定時の等価回路図とＴ型回路図である。
【図４】従来の不平衡擬似回路網を用いた妨害波の測定結果を示す図である。
【図５】本実施の形態における不平衡擬似回路網を用いた妨害波の測定結果を示す図である。
【図６】従来の不平衡擬似回路網の構成を示す回路図である。
【発明を実施するための形態】
【００１２】
以下、本発明の実施の形態について図面を用いて説明する。
【００１３】
図１は、本実施の形態における不平衡擬似回路網の構成を示す回路図である。
【００１４】
本実施の形態における不平衡擬似回路網１は、ＥＵＴ（供試装置）とＡＥ（補助装置）とを接続する一対の導体に接続したコモンモードチョークコイルＬ１と、一対の導体それぞれに対して並列に接続したキャパシタンスＣと、キャパシタンスＣそれぞれの一端に接続した巻線比が１：ｎの非対称トランス（ノーマルモードチョークコイル）Ｌ２と、非対称トランスＬ２と測定ポート１１の間に接続した抵抗Ｒを有する構成である。
【００１５】
不平衡擬似回路網１の測定ポート１１にレシーバー２を接続して一対の導体を流れるコモンモード電流を電圧として測定し、ＥＵＴの測定対象ポートから伝搬される妨害波を測定する。
【００１６】
次に、本実施の形態における不平衡擬似回路網１の電気的特性を決定する方法について説明する。不平衡擬似回路網に要求される電気的特性の代表的なものとして、コモンモードインピーダンスとＬＣＬがある。
【００１７】
まず、不平衡擬似回路網１のコモンモードインピーダンスの決定方法について説明する。
【００１８】
図２（ａ）に非対称トランスＬ２の等価回路を示し、図２（ｂ）にそのＴ型回路を示す。図２（ａ）では、非対称トランスＬ２を、ＥＵＴポートからみた、一方の導体側のコイルＬaと他方の導体側のコイルＬbに分けて図示した。図２（ｂ）では、コイルＬaの自己インダクタンスをＺ1、コイルＬbの自己インダクタンスをＺ2、コイルＬa，Ｌbの相互インダクタンスをＺ3とした。
【００１９】
ディファレンシャルモードインピーダンスＺd、コモンモードインピーダンスＺcは、次式（１），（２）で与えられる。
【数２】
0005647632.tif 000003
【００２０】
また、相互インダクタンスＺ3は、結合係数ｋを用いて次式（３）で与えられる。
【数３】
0005647632.tif 000004
【００２１】
よって、コモンモードインピーダンスＺcは、次式（４）で与えられる。
【数４】
0005647632.tif 000005
【００２２】
式（４）で示すように、コイルＬa，Ｌbが密結合（ｋ≒１）の場合、非対称トランスＬ２のコモンモードインピーダンスＺcは巻線比によらず０となる。したがって、非対称トランスＬ２と測定ポート１１間に接続した抵抗Ｒの値とレシーバー２の内部インピーダンスにより不平衡擬似回路網１のコモンモードインピーダンスＺcが決まる。
【００２３】
続いて、不平衡擬似回路網１のＬＣＬの決定方法について説明する。
【００２４】
図３（ａ）にＬＣＬを定義する等価回路を示し、図３（ｂ）は図２で示した不平衡疑似回路網をそのＴ型回路として置き換えた場合の図を示す。なお、ＺTは、不平衡擬似回路網１の特性インピーダンスを表している。
【００２５】
非特許文献１によると、Ｔ型回路の各インピーダンスを用いて、ＬＣＬは次式（５）で表現される。
【数５】
0005647632.tif 000006
【００２６】
また、巻線比とインピーダンスには、次式（６）の関係がある。
【数６】
0005647632.tif 000007
【００２７】
式（６）より、Ｚ2は次式（７）で表される。
【数７】
0005647632.tif 000008
【００２８】
式（４），（７）より、ｋ≒１の時、Ｚ2，Ｚ3は次式（８）で表される。
【数８】
0005647632.tif 000009
【００２９】
式（１），（７），（８）より、Ｚ1は次式（９）で表される。
【数９】
0005647632.tif 000010
【００３０】
式（８），（９）を式（５）に代入すると、ＬＣＬの真数であるαは、次式（１０）で表される。
【数１０】
0005647632.tif 000011
【００３１】
式（１０）を、ｘについて解くと、次式（１１）となる。
【数１１】
0005647632.tif 000012
【００３２】
よって、巻線比は、次式（１２）で決定することができる。
【数１２】
0005647632.tif 000013
【００３３】
以上のように、式（４）より、コモンモードインピーダンスは図１の不平衡擬似回路網１の抵抗Ｒとレシーバー２の内部インピーダンスで決定できる。また、ＬＣＬは、式（１２）より、与えられた要求値を用いて非対称トランスＬ２の巻線比を設定することで決定できる。
【００３４】
例えば、カテゴリー３（電話線等）の場合、コモンモードインピーダンスは１５０Ω、ＬＣＬは５５ｄＢである。この場合、レシーバー２の内部インピーダンスは５０Ωなので、不平衡擬似回路網１の抵抗Ｒは１００Ωとする。また、ＬＣＬについては、式（１２）より巻線比は、１００：９９（ｎ＝０．９９）と計算される。実際に製作した回路では、３３：３２（ｎ＝０．９７）となり、その誤差約２％であった。
【００３５】
次に、従来の不平衡擬似回路網と本実施の形態における不平衡擬似回路網を用いた妨害波の測定結果について説明する。
【００３６】
図４は、従来の不平衡擬似回路網を用いた妨害波の測定結果である。
【００３７】
従来の不平衡擬似回路網を用いた場合、図４の直線で示すように、妨害波電流が周波数に対して右肩上がりの特性となっているのに対し、妨害波電圧は周波数に対して一定となっており、妨害波電圧と妨害波電流が異なる周波数特性を示している。不平衡擬似回路網は、通信線の電気的特性を模擬しており、ＥＵＴから不平衡疑似回路網に流れ込む妨害波電流をあるインピーダンス値により電圧として測定することが出来る。そのため、妨害波電圧は妨害波電流と同様の周波数特性を持たなければならない。つまり、妨害波電圧と妨害波電流の比が回路のコモンモードインピーダンスに等しくならなければならない。
【００３８】
図５は、本実施の形態における不平衡擬似回路網１を用いた妨害波の測定結果である。
【００３９】
本実施の形態における不平衡擬似回路網１を用いた場合、妨害波電流と同じ周波数特性を持つ妨害波電圧が測定されており、その比は回路のコモンモードインピーダンスに等しくなっている。
【００４０】
以上説明したように、本実施の形態によれば、不平衡擬似回路網１が、ＥＵＴに接続する一対の導体に接続した巻線比が１：ｎの非対称トランスＬ２と、非対称トランスＬ２と測定ポート１１の間に接続した抵抗Ｒとを有し、所望のＬＣＬを得るための巻線比の設定に式（１２）を用いることで、巻線比の設定により不平衡擬似回路網１のＬＣＬを調整することが可能となり、ＬＣＬを設定するために導体に接続するシャントインピーダンスが不要となるので、より精度を高く妨害波電圧を測定することができる。
【００４１】
なお、上記では、ＥＵＴとＡＥを接続する導体が一対の場合について説明したが、もちろん多対の場合でも同様に適用できる。
【符号の説明】
【００４２】
１…不平衡擬似回路網
Ｃ…キャパシタンス
Ｌ１…コモンモードチョークコイル
Ｌ２…非対称トランス
Ｒ…抵抗
２…レシーバー
３…ＬＣＬ測定装置
１１…測定ポート
１００…不平衡擬似回路網
１０１…測定ポート
２００…レシーバー
３００…シャントインピーダンス
【図１】
0005647632.tif 000015
【図２】
0005647632.tif 000016
【図３】
0005647632.tif 000017
【図４】
0005647632.tif 000018
【図５】
0005647632.tif 000019
【図６】
0005647632.tif 000020